(57)【特許請求の範囲】
【請求項１】
少なくとも人体を収容可能な本体と、この本体に設けられた移動用キャスターと、該本体の内壁に設けられた複数の永久磁石と、前記本体内に設けられ、当該本体に接触する部分の一部が前記永久磁石に吸着可能であり、当該永久磁石に吸着させることによって前記本体に固定される床板とを備え、
前記本体の内壁は前記永久磁石が吸着可能な材料にて構成されると共に、隣接する前記永久磁石を、相互に異なる極性としたことを特徴とする磁気を用いた人体環境生成装置。
【請求項２】
前記本体内に腰掛け椅子を配置したことを特徴とする請求項１の磁気を用いた人体環境生成装置。
【請求項３】
前記永久磁石を複数個収納ケース内に収納し、前記本体の内壁に吸着させたことを特徴とする請求項１又は請求項２の磁気を用いた人体環境生成装置。
【請求項４】
前記収納ケースは非磁性材料にて構成されていることを特徴とする請求項３の磁気を用いた人体環境生成装置。
【請求項５】
前記本体に把手を設けたことを特徴とする請求項１、請求項２、請求項３又は請求項４の磁気を用いた人体環境生成装置。
【発明の詳細な説明】
【０００１】
【発明の属する技術分野】
本発明は、磁気を用いた人体環境生成装置に関するものである。
【０００２】
【従来の技術】
人間は血液によって新陳代謝が行なわれて健康を維持しているのは既に周知である。年齢が増加するに伴って血管がもろくなったり、また、老廃物により血管が細くなると血行が悪くなり色々な身体機能傷害を起こしてしまう。この血管の拡張・収縮をつかさどっているのは自律神経で、自律神経は脳からの指令を受けない特殊な神経であり、絶えず内臓に分布している血管を刺激している。このため、自律神経が興奮したり、低下するなどのアンバランスを起こすと血行が悪くなって、腰痛やコリなどの身体機能傷害がしていた。自律神経の興奮やアンバランスを正常に戻す方法として磁気による方法が知られている。
【０００３】
人体に磁気を作用させると電流が生じ、これによって血管壁にイオンが増加して自律神経の興奮やアンバランスを正常に戻り血行が良くなるとされている。このように、磁気が血行を良くして体の健康に保つということは既に知られてる。東洋医学では古くからツボに永久磁石の粒をおいて腰痛や肩コリを治療する方法が伝えられてる。そこで、コリの部分に磁気を貼り付けるものや、磁気ネックレスを首に掛けるものなど磁気を使って健康を回復することができる数多くの健康器具が知られている。
【０００４】
【発明が解決しようとする課題】
しかしながら、それらの磁気健康器具は首や肩或いは腰などに自律神経の興奮やアンバランスが生じて身体機能傷害が発生してからそれらの箇所に永久磁石の粒をおいて部分的に血行を良くしているのが現状であった。この場合、首や肩及び腰などの自律神経の興奮やアンバランスが生じて身体機能傷害が発生する以前に血行を良くしてしまえば身体機能障害を起こさずに済む。そこで、身体機能傷害が発生する以前に体全体の健康促進を図ることができる磁気を用いた人体環境生成装置の開発が望まれていた。
【０００５】
本発明は、係る従来技術の課題を解決するために成されたものであり、自律神経の興奮やアンバランスを正常に戻して健康促進を図ることができる磁気を用いた人体環境生成装置を提供することを目的とする。
【０００６】
【課題を解決するための手段】
即ち、本発明の磁気を用いた人体環境生成装置は、少なくとも人体を収容可能な本体と、この本体に設けられた移動用キャスターと、該本体の内壁に設けられた複数の永久磁石と、本体内に設けられ、当該本体に接触する部分の一部が永久磁石に吸着可能であり、当該永久磁石に吸着させることによって本体に固定される床板とを備え、本体の内壁は永久磁石が吸着可能な材料にて構成されると共に、隣接する永久磁石を、相互に異なる極性としたことを特徴とする。
【０００７】
また、請求項２の発明の磁気を用いた人体環境生成装置は、上記に加えて、本体内に腰掛け椅子を配置したことを特徴とする。
【０００８】
また、請求項３の発明の磁気を用いた人体環境生成装置は、請求項１又は請求項２に加えて、永久磁石を複数個収納ケース内に収納し、本体の内壁に吸着させたことを特徴とする。
【０００９】
また、請求項４の発明の磁気を用いた人体環境生成装置は、請求項３に加えて、収納ケースは非磁性材料にて構成されていることを特徴とする。
【００１０】
また、請求項５の発明の磁気を用いた人体環境生成装置は、請求項１、請求項２、請求項３又は請求項４に加えて、本体に把手を設けたことを特徴とする。
【００１１】
【発明の実施の形態】
次に、図面に基づき本発明の実施形態を詳述する。図１は本発明の磁気を用いた人体環境生成装置１０の斜視図を示している。図中１１は本体で、この本体１１は内部に通常の大人が寝て入れる長さ、及び、腰掛け椅子１５を取り付けて容易に腰掛けられる大きさの高さ約１３００ｍｍ、幅約８００ｍｍ、奥行き約２１０４ｍｍを呈している。
【００１２】
本体１１はフレーム１２と内壁１３にて構成されており、フレーム１２は横フレーム１２Ａと縦フレーム１２Ｂとから構成され、縦フレーム１２Ｂは略楕円形に形成されて本体１１の前後方向に複数設けられている（図２、図３）。該縦フレーム１２Ｂの周囲には所定の間隔で横フレーム１２Ａが設けられており、これらの複数の縦フレーム１２Ｂ及び縦フレーム１２Ｂは図示しないがネジ、或いは溶接にて固定されている。
【００１３】
フレーム１２内側全面には複数の内壁１３・・・が敷き詰められており、これら複数の内壁１３・・・はこれもまた図示しないがネジ、或いは溶接にてフレーム１２に固定されている。該内壁１３は、永久磁石が吸着可能なステンレス（ＳＵＳ−４３０）板などの材料にて構成されている。そして、本体１１はフレーム１２内側に内壁１３が設けられた状態で、奥行き前後を略楕円形状に開口したドーム形状を呈している。尚、内壁１３をネジにてフレーム１２内側に固定する場合、ネジが本体１１内側に突出しない皿ネジが使用される。
【００１４】
本体１１の開口縁部には把手１４が設けられており、この把手１４は上下方向に延在して本体１１一側の開口縁部両側のフレーム１２（縦フレーム１２Ｂ）に取り付けられている。該把手１４は永久磁石が吸着しないステンレスパイプ等にて構成されると共に、把手１４は側面略コ字状に折曲され両端が図示しないネジ、或いは溶接にて縦フレーム１２Ｂに強固に固定されている。
【００１５】
また、本体１１の左右外側には複数の支柱１７・・・が上下方向に延在して設けられており、これらの支柱１７・・・は本体１１の前後端部の縦フレーム１２Ｂ、１２Ｂと、この前後端部の縦フレーム１２Ｂ、１２Ｂの略中間に取り付けられている（図４）。これらの支柱１７・・・は永久磁石が吸着しないステンレスの四筒形の柱にて構成されると共に、図示しないネジ、或いは溶接にてフレーム１２（縦フレーム１２Ｂ）に強固に固定されている。該各支柱１７・・・の下端には本体１２より突出した位置にそれぞれ移動用のキャスター１６が固定されており、このキャスター１６によって、本体１１（磁気を用いた人体環境生成装置１０）は移動自在に構成されている。
【００１６】
また、本体１１内部には永久磁石が吸着しない床板１８が設けられており、この床板１８には肘掛け１５Ａが設けられた腰掛け椅子１５がボルトにて固定されている。該腰掛け椅子１５は背もたれの傾斜角度を容易に変えることができる所謂リクライニング式のもので、背もたれを起こしたときは、腰掛け椅子１５に大人が腰掛けられ、背もたれを倒したときは、腰掛け椅子１５に大人が寝られるように構成している。尚、床板１８は後述する永久磁石２１に吸着させることにより、本体１１に固定しているが、床板１８の本体１１に接触する部分全てを吸着させると、床板１８を永久磁石２１から離すことができなくなってしまうので、床板１８の本体１１に接触する部分の一部だけ永久磁石２１に吸着可能な金属を設けている。また、１８Ａは補強部材であり床板１８が変形しないように設けられている。
【００１７】
前記、本体１１の内壁１３には永久磁石２１が複数収納された収納ケース２０が複数密着配置されると共に、収納ケース２０に収納した永久磁石２１によってた吸着固定されている（図５）。収納ケース２０は、前述同様永久磁石２１が吸着しないステンレス板などの非磁性材料にて構成されると共に、一面を開口し永久磁石２１を６個収納可能な内ケース２０Ａと、この内ケース２０Ａを収納可能な角筒形の外ケース２０Ｂとから構成されている（図６、図７）。尚、収納ケース２０はステンレス板以外に非磁性材料であれば真鍮板、銅板、アルミ板、合成樹脂板などを用いても差し支えない。
【００１８】
該永久磁石２１は、ネオジム系の磁石で強力な磁気を有すると共に、円柱形を呈している。この永久磁石２１は、円柱形の長手方向一面をＮ極、他面をＳ極の２極の永久磁石で、内ケース２０Ａの一側からＮ極、Ｓ極、Ｎ極、Ｓ極、Ｎ極、Ｓ極と６個の永久磁石２１を収納している。この場合、内ケース２０Ａの開口側がＮ極、Ｓ極、Ｎ極、Ｓ極、Ｎ極、Ｓ極と配列されている。これによって、内ケース２０Ａに収納した一側の永久磁石２１をＮ極、他側の永久磁石２１をＳ極としている。
【００１９】
そして、６個の永久磁石２１が収納された内ケース２０Ａを外ケース２０Ｂ内に収納する。これによって、収納ケース２０内に収納した永久磁石２１の脱落を防止することが可能となると共に、永久磁石２１の取り扱いは収納ケース２０単位で行なえるので取り扱いが容易となる。
【００２０】
そして、収納ケース２０を直列に配列する場合、内ケース２０Ａの一側の永久磁石２１をＮ極、他側の永久磁石２１をＳ極としているので、内ケース２０Ａの一側（この場合、永久磁石２１の極性はＮ極）に他の収納ケース２０の他側（この場合、永久磁石２１の極性はＳ極）を吸着させることができる。即ち、収納ケース２０の一側或いは他側が吸着する状態で直列に並べるだけで、直列に並べた複数の収納ケース２０内の永久磁石２１の極性、即ち、隣接する各永久磁石２１・・・を相互にＮ極とＳ極との異なる極性に配列することができる。
【００２１】
また、収納ケース２０を並列に設置する場合、内ケース２０Ａの一側からＮ極、Ｓ極、Ｎ極、Ｓ極、Ｎ極、Ｓ極と６個の永久磁石２１を収納しているので、一方の収納ケース２０の一側と他方の収納ケース２０の他側を合わせれば、一方の収納ケース２０内の永久磁石２１のＮ極、Ｓ極、Ｎ極、Ｓ極、Ｎ極、Ｓ極に対して他の収納ケース２０内の永久磁石２１はＳ極、Ｎ極、Ｓ極、Ｎ極、Ｓ極、Ｎ極に配置することができ、両収納ケース２０、２０は吸着する。即ち、収納ケース２０の一側或いは他側が吸着する状態で並列に並べるだけで、並列に並べた収納ケース２０、２０内の永久磁石２１の極性、即ち、隣接する各永久磁石２１・・・を相互にＮ極とＳ極との異なる極性に配列することができる（図７）。
【００２２】
そして、本体１１の内壁１３全面に上記配列で収納ケース２０を吸着させ固定する（図５）。この場合、収納ケース２０は収納ケース２０内に収納した永久磁石２１の磁力で内壁１３に固定させているが、永久磁石２１をネオジム系の強力な磁石を使用しているので、ネジ止め、或いは接着などにより固定しなくても強固に固定することができる。尚、本体１１内壁１３は内壁１３全面に収納ケース２０を密着配置した状態で、隣接するそれぞれの永久磁石２１の極性が相互にＮ極とＳ極との異なる極性にて配置できる寸法にて構成されている。
【００２３】
一方、永久磁石２１を相互に異なる極性で配置すると、永久磁石２１の磁気（磁力線２１Ａ）は、隣接する永久磁石２１との間に形成される。そして、内壁１３に吸着されて相互に隣接する永久磁石２１の磁力線２１Ａは、内壁１３を通って相互に吸引する磁力線２１Ａ（図中実線）が形成される。また、内壁１３の反対側では各永久磁石２１・・・が吸着可能な材料（内壁１３）がないので、永久磁石２１の磁力線２１Ａ（図中実線）は空間に形成される（図９実線矢印範囲内）。
【００２４】
即ち、内壁１３内面に吸着固定した各永久磁石２１・・・の内壁１３側の磁力線２１Ａは内壁１３内に形成され、反対側は本体１１内の空間１１Ａに形成される（この場合、各永久磁石２１面に沿って形成される）。この場合、本体１１内の空間１１Ａは周囲に形成した永久磁石２１の磁気で無磁極無磁場環境を形成することができる。これにより、本体１１内には本体１１外部の環境磁場（例えば地磁気等）の影響を受けない空間１１Ａを形成することが可能となる。尚、磁力線が空間より永久磁石が吸着可能な材料内を通過しやすいのは従来より周知の技術であるため、詳細な説明を省略する。
【００２５】
このように、少なくとも人体を収容可能な本体１１と、この本体１１の内壁１３に設けられた複数の永久磁石２１と、本体１１内に腰掛け椅子１５を配置したので、隣接するそれぞれの永久磁石２１・・・を相互に異なる極性としているので、本体１１内に外部の環境磁場の影響を受けない空間１１Ａ（無磁極無磁場環境）を形成することができる。この場合、腰掛け椅子１５に腰掛け、無磁極無磁場環境に人体を置くことによって、血行を良くしてリラクゼーション効果を得ることが可能となるので、血行不良による腰痛や肩コリ、或いは、それらに伴う身体機能傷害や、心身ストレスなどの改善を行なうことができるようになる。これにより、自律神経の興奮やアンバランスを正常な状態に戻して好適な人体環境を生成することができるようになる。
【００２６】
また、永久磁石２１を複数個の収納ケース２０内にそれぞれ所定数量収納し、本体１１の内壁１３に吸着させているので、多数の永久磁石２１が集まって一塊りに吸着してしまうのどの不都合を未然に阻止することができる。この場合、短時間でＳ極、Ｎ極、Ｓ極、Ｎ極と交互に異なる極性の永久磁石２１を本体１１内壁１３へ吸着させることが可能となり、本体１１内壁１３への永久磁石２１の吸着作業を極めて向上させることができる。これにより、本体１１内壁１３へ永久磁石２１を吸着固定するための作業時間を大幅に短縮することができ、磁気を用いた人体環境生成装置１０のコストの低減を図ることができる。
【００２７】
また、収納ケース２０を非磁性材料にて構成しているので、収納ケース２０に永久磁石２１が吸着することがない。これにより、収納ケース２０内への永久磁石２１の収納作業性を大幅に向上させることが可能となると共に、収納ケース２０内に収納した永久磁石２１の磁力線２１Ａを収納ケース２０の外に出すことが可能となる。これにより、収納ケース２０に永久磁石２１を収納したまま収納ケース２０を内壁１３に吸着させることが可能となるので、複数の永久磁石２１・・・を本体１１内壁１３へ吸着させる作業を大幅に向上させることができる。
【００２８】
また、本体１１内壁１３を永久磁石２１が吸着可能なステンレス板にて構成しているので、格別なネジや、接着剤などを使用しなくても、本体１１内壁１３に永久磁石２１を固定することが可能となるので、永久磁石２１の取り付け作業性を大幅に向上することができる。
【００２９】
また、本体１１に移動用キャスター１６を設けているので、本体１１内部に多数（この場合、本体１２内壁１３には数万個の永久磁石２１が取り付けられている）の永久磁石２１を設けた重い磁気を用いた人体環境生成装置１０を容易に移動することができる。これにより、磁気を用いた人体環境生成装置１０を何処にでも容易に移動することが可能となる。
【００３０】
本体１１の開口縁部に把手１４を設けたので、本体１１の移動方向を容易に変えることが可能となる。これにより、本体１１を容易に移動させることができるようになるので、磁気を用いた人体環境生成装置１０の利便性を大幅に向上することができる。
【００３１】
尚、実施例では、収納ケース２０に永久磁石２１を６個収納したが、収納ケース２０内に収納する永久磁石２１の数はこの数に限らず、永久磁石２１を１０個、或いは６個を一列として２列（この場合、隣接する永久磁石２１の極性がＮ極とＳ極の異なる極性で収納する）、３列収納しても差し支えない。即ち、即ち、本体１１内に設けた各収納ケース２０内の永久磁石２１が相互に異なる極性にでき、複数の永久磁石２１を収納した収納ケース２０を容易に取り扱うことができれば、収納ケース２０の大きさは上記大きさに限るものでない。
【００３２】
【発明の効果】
以上詳述した如く本発明によれば、
少なくとも人体を収容可能な本体と、この本体に設けられた移動用キャスターと、該本体の内壁に設けられた複数の永久磁石と、本体内に設けられ、当該本体に接触する部分の一部が永久磁石に吸着可能であり、当該永久磁石に吸着させることによって本体に固定される床板とを備え、本体の内壁は永久磁石が吸着可能な材料にて構成されると共に、隣接する永久磁石を、相互に異なる極性としたので、本体の内壁に吸着させた永久磁石に着脱可能に床板を設置することができるようになると共に、多数の永久磁石を取り付けて重量が重くなった本体であっても容易に移動することができる。これにより、本体内に容易に床板を取り付けることができ、且つ、本体を何処にでも容易に移動することが可能となる。従って、床板の着脱作業が極めて容易、且つ、本体を移動したい場所に容易に移動することができるので、磁気を用いた人体環境生成装置の利便性を大幅に向上させることができるようになる。
【００３３】
また、本体の内壁は永久磁石が吸着可能な材料にて構成されているので、例えば、格別に設けたネジや、接着剤などで永久磁石を固定しなくても、本体内壁に永久磁石を吸着し強固に固定することが可能となる。これにより、永久磁石の取り付け作業工数を大幅に削減することができるようになる。
【００３４】
特に、本体の内壁に吸着させた複数の永久磁石は、隣接する永久磁石を、相互に異なる極性としたので、本体内に外部の環境磁場の影響を受けない空間を形成することができる。これにより、本体内に無磁極無磁場環境を形成することが可能となるので、本体内に入れば体全体の健康促進を図ることができるようになるものである。
【００３５】
また、請求項２の発明によれば、上記に加えて、本体内に腰掛け椅子を配置したので、腰掛け椅子に腰掛け無磁極無磁場環境に人体を置くことによって、リラクゼーション効果や血行を良くすることが可能となる。これにより、血行不良による腰痛や肩コリ、或いは、それらに伴う身体機能傷害や、心身ストレスなどの改善を行なうことができるようになる。従って、自律神経の興奮やアンバランスを正常な状態に戻して好適な人体環境を生成することができるようになるものである。
【００３６】
また、請求項３の発明によれば、請求項１又は請求項２に加えて、永久磁石を複数個収納ケース内に収納し、本体の内壁に吸着させたので、多数の永久磁石が集まって一塊りに吸着してしまうのどの不都合を未然に阻止することができるようになる。これにより、短時間で交互に異なる極性の永久磁石を本体内壁へ吸着させることが可能となる。従って、本体内壁への永久磁石の吸着作業を極めて向上させることができるようになるものである。
【００３７】
特に、収納ケース内に複数個の永久磁石を例えばＳ極、Ｎ極、Ｓ極、Ｎ極と交互に異なる極性で収納しているので、本体内壁へ永久磁石を吸着固定するための作業時間を大幅に短縮することができるようになるものである。
【００３８】
また、請求項４の発明によれば、請求項３に加えて、収納ケースは非磁性材料にて構成されているので、収納ケースに永久磁石が吸着することがない。これにより、収納ケース内への永久磁石の収納作業性を大幅に向上させることが可能となる。従って、極めて容易に永久磁石を収納ケースに収納することができるようになるものである。
【００３９】
特に、収納ケースを永久磁石が吸着しない非磁性材料にて構成しているので、収納ケース内に収納した永久磁石の磁力線を収納ケースの外に出すことが可能となる。これにより、永久磁石を収納ケースに収納したまま、当該収納ケースを内壁に吸着させることが可能となる。従って、本体内壁へ複数の永久磁石を吸着させる作業を大幅に向上させることができるようになるものである。
【００４０】
また、請求項５の発明によれば、請求項１、請求項２、請求項３又は請求項４に加えて、本体に把手を設けたので、本体の移動方向を容易に変えることが可能となる。これにより、更に本体を容易に移動させることができるようになる。従って、磁気を用いた人体環境生成装置の利便性を更に向上させることができるようになるものである。
【図面の簡単な説明】
【図１】  本発明の磁気を用いた人体環境生成装置の斜視図である。
【図２】  本発明の磁気を用いた人体環境生成装置の正面図である。
【図３】  本体内部を示す磁気を用いた人体環境生成装置の斜視図である。
【図４】  一部本体内部を示す磁気を用いた人体環境生成装置の側面図である。
【図５】  収納ケースを配置した本体内壁の斜視図である。
【図６】  隣接する永久磁石を異なる極性で収納した内ケースの斜視図である。
【図７】  永久磁石を収納した収納ケースの斜視図である。
【図８】  本体内壁に吸着した収納ケース内の永久磁石の極性を示す図である。
【図９】  隣接する永久磁石の磁気（磁力線）を示す図である。
【図１０】  外部の環境磁場の影響を受けない無磁極無磁場環境を形成した本体の正面図である。
【符号の説明】
１０  磁気を用いた人体環境生成装置
１１  本体
１１Ａ  空間
１２  フレーム
１３  内壁
１４  把手
１５  腰掛け椅子
１６  キャスター
１８  床板
２０  収納ケース
２１  永久磁石
２１Ａ  磁力線
【図１】
0003857180.tif 000002
【図２】
0003857180.tif 000003
【図３】
0003857180.tif 000004
【図４】
0003857180.tif 000005
【図５】
0003857180.tif 000006
【図６】
0003857180.tif 000007
【図７】
0003857180.tif 000008
【図８】
0003857180.tif 000009
【図９】
0003857180.tif 000010
【図１０】
0003857180.tif 000011